(57)【特許請求の範囲】
【請求項１】
少なくとも一対の戸板の対向面間に中間板材を介在させた折戸であって、
前記戸板の前記対向面と、該対向面と対向する前記中間板材の両端面とのうち、前記中間板材の両端面のみを断面視して円弧状に形成された円弧部とし、
前記一対の戸板は、正面視して略直方形状よりなり、該戸板側に延設され、前記中間部材に設けられ該円弧部の曲率中心を軸とした一対の回動軸のそれぞれ取り付けられた連結具によって、前記中間板材の前記円弧部に沿って折り畳み自在に連結され、
前記中間板材は、前記連結具の厚み分だけ前記一対の戸板より短く形成されており、
前記一対の戸板の上下方向の端面と前記対向面との角部には、前記連結具が嵌め入れられる凹所が形成されていることを特徴とする折戸。
【請求項２】
請求項１において
前記連結具は、前記中間板材の前記一対の回動軸のそれぞれに取り付けられる一対のギアと、前記凹所に一方の端部が嵌め入れられる一対の連結板とを備え、
前記連結板には、前記凹所に固着するための固定具が挿通される挿通孔と、前記ギアを固定するための固定具が挿通される挿通孔とが形成されていることを特徴とする折戸。
【発明の詳細な説明】
【技術分野】
【０００１】
本発明は、複数枚の戸板を、折り畳み自在に連結した折戸に関する。
【背景技術】
【０００２】
上述のような折戸は、例えばクローゼットなどの収納空間やキャビネットなどの収納戸棚、部屋の間仕切り、部屋の開閉扉などの開閉壁として使用され、複数の戸板が連結具によって連結され折り畳み自在とされたものが知られている。
このような折戸においては、例えば一対の隣接する戸板が連結具で連結されることで戸板間に僅かな隙間が形成されたり、折戸の開閉に伴って、一対の戸板の対向面間に拡がったり狭まったりする空間が形成されるので、この僅かな隙間や拡がったり狭まったりする空間に、手指を挟み込んでしまう恐れがある。
そこで従来より種々の指詰め防止構造が提案されている。
【０００３】
例えば、下記特許文献１には、細幅の中間板材と、この中間板材の左右側方に配置された一対の戸板とを備えた折戸が開示されており、中間板材と戸板とは連結板で連結され、この連結板と戸板とを水平揺動自在に連結する枢軸を有した折戸が記載されている。またここには戸板の中間板材側の端面が枢軸を中心とする円弧面に形成され、中間板材の左右端部の前部には、戸板の円弧面に沿うように形成された円弧面を有する左右の張出部が設けられたものが記載されている。
これによれば、上述のように形成された中間板材の張出部によって、折戸の開閉に伴って形成される一対の戸板の対向面の空隙を塞ぐことができるので、指詰めを防ぐことができる。
【先行技術文献】
【特許文献】
【０００４】
【特許文献１】特開平９−１２５８３２号公報
【発明の概要】
【発明が解決しようとする課題】
【０００５】
しかしながら、上記特許文献１に記載のものは、一対の戸板の中間板材側の端面を円弧面に形成するとともに、中間板材の左右端部にも円弧面を形成する必要があり、戸板及び中間板材のそれぞれの加工を要する。特に一対の戸板の端面は加工面積が大きいので、製造負荷が大きくなり、生産性が悪いという問題がある。
【０００６】
本発明は、上記実情に鑑みなされたものであり、指詰めを防止することができ、しかも生産性のよい折戸を提供することを目的とする。
【課題を解決するための手段】
【０００７】
本発明に係る折戸は、少なくとも一対の戸板の対向面間に中間板材を介在させた折戸であって、前記一対の戸板の前記対向面と、該対向面と対向する前記中間板材の両端面のうち、前記中間板材の両端面のみを断面視して円弧状に形成された円弧部とし、前記一対の戸板は、正面視して略直方形状よりなり、該戸板側に延設され、前記中間部材に設けられ該円弧部の曲率中心を軸とした一対の回動軸のそれぞれ取り付けられた連結具によって、前記中間板材の前記円弧部に沿って折り畳み自在に連結され、前記中間板材は、前記連結具の厚み分だけ前記一対の戸板より短く形成されており、前記一対の戸板の上下方向の端面と前記対向面との角部には、前記連結具が嵌め入れられる凹所が形成されていることを特徴とする。
【０００８】
本発明において、前記連結具は、前記中間板材の前記一対の回動軸のそれぞれに取り付けられる一対のギアと、前記凹所に一方の端部が嵌め入れられる一対の連結板とを備え、前記連結板には、前記凹所に固着するための固定具が挿通される挿通孔と、前記ギアを固定するための固定具が挿通される挿通孔とが形成されているとしてもよい。
【発明の効果】
【０００９】
本発明に係る折戸によれば、指詰めを防止することができ、しかも生産性をよくすることができる。
【図面の簡単な説明】
【００１０】
【図１】（ａ）及び（ｂ）は本発明の一実施形態に係る折戸を説明するための説明図であり、（ａ）は同折戸の概略平面図、（ｂ）は同折戸の概略正面図である。
【図２】（ａ）及び（ｂ）は同折戸に連結具を取り付ける前の状態を説明するための説明図であり、（ａ）はその一部拡大平面図、（ｂ）はその一部拡大正面図である。
【図３】（ａ）及び（ｂ）は同折戸に連結具を取り付けた状態を説明するための説明図であり、（ａ）はその一部拡大平面図、（ｂ）はその一部拡大正面図である。
【図４】（ａ）は同折戸を閉じた状態を説明するための一部拡大平面図、（ｂ）は同折戸を開ける一過程の状態を説明するための一部拡大平面図である。
【図５】（ａ）は同折戸を開ける一過程の状態を説明するための一部拡大平面図、（ｂ）は同折戸を開けた状態を説明するための一部拡大平面図である。
【発明を実施するための形態】
【００１１】
以下に本発明における実施の形態の一例について、図１〜図５に基づいて説明する。
折戸１は、クローゼットなどの収納空間やキャビネットなどの収納戸棚、部屋の間仕切り、部屋の開閉扉などの開閉壁として使用され、ここで折戸１は、クローゼットなどの収納空間の開閉壁として適用した例を示している。
本実施形態に係る折戸１は、一対の戸板２，２の対向面２０間に中間板材３を介在させた折戸１であって、中間板材３は、一対の戸板２，２と対向する両端面が断面視して円弧状に形成された円弧部３０と、円弧部３０の曲率中心を軸とした一対の回動軸３１，３１とを有し、一対の戸板２，２は、戸板２，２側に延設され一対の回動軸３１，３１のそれぞれ取り付けられた連結具４によって、中間板材３の円弧部３０に沿って折り畳み自在に連結されている。
【００１２】
折戸１は、例えば収納空間の開口部に設けられた一対の縦枠と上横枠とで構成された下レールのない３方枠内に配置され、上横枠に設けられた上レール（不図示）に開閉自在に支持されている。
一対の戸板２，２のうち、一方の戸板２の上端部には汎用のランナー部材５が取り付けられており、ランナー部材５が上レールに装着されることによって、戸板２が上レールに沿って走行自在となっている。他方の戸板２は、縦枠の近傍において、取付位置から移動しないようにストッパー（不図示）によって回動自在に支持されている。
なお、開口部に設けられる枠は３方枠に限らず、下レールを備えた４方枠であってもよい。また図例のようにランナー部材５が一方の戸板２側のみ設けられたものに限定されず、ストッパーによって支持されている側の戸板２にもランナー部材を取り付け、スライド可能な構成としてもよい。
【００１３】
一対の戸板２，２は、角部が略直角に形成された正面視して略方形状の板体よりなり、図２（ａ）及び（ｂ）に示すように一対の戸板２，２と中間板材３との対向面２０の角部には、連結具４が嵌め入れられる凹所２１が形成されている。凹所２１は連結具４の端部の形状に合わせて形成され、図例のものは円弧状の連結具４の連結板４０の形状に合わせて凹所２１が切欠き形成されている（図２（ｂ）の部分拡大斜視図参照）。
この構成によれば、戸板２への加工は、対向面２０の角部に連結板４０に対応した凹所２１を形成するだけでよいので、従来の戸板の端面を円弧状に加工するものに比べて製造負荷が小さく、生産性の向上を図ることができる。
【００１４】
一対の戸板２，２の対向面２０に介在する中間板材３は、戸板２に比べて細幅に形成されるとともに、上述したように一対の戸板２，２と対向する両端面には断面視して円弧状の円弧部３０が形成されている。円弧部３０の曲率中心となる位置を一対の回動軸３１，３１とし、この回動軸３１を軸として連結具４が回動するように中間板材３には予め連結具４の固定具４３が固着される円形の固定穴３２が形成されている。よってこの固定穴３２はその円の中心が回動軸３１と一致するように形成される。また中間板材３は、連結具４の厚み分だけ一対の戸板２，２より短く形成されている。
この構成によれば、中間板材３の上下端面に連結具４を取り付ければ、中間板材３の左右に配される戸板２，２の上下端面と面一とすることができ、見栄えをよくすることができる。
なお、ここでは中間板材３の上下端面に連結具４を取り付けた例を説明しているが、例えば上端面のみに取り付けたものとしてもよい。
【００１５】
連結具４は図３（ａ）に示すように中間板材３の一対の回動軸３１に取り付けられる一対のギア４１と、調整する調整ばね４２を有し、側方からこれらギア４１などが見えないように上方開口のケース６に収容されている。また連結具４は戸板２側に延設され戸板２との連結部材となる一対の連結板４０も備えている。
ギア４１は平歯車よりなり、円弧部３０の半径と略同じものが用いられ、中央には固定具４３が挿通される挿通孔が形成されている。それぞれのギア４１は、ギア４１の挿通孔に固定具４３を挿通し、中間板材３の固定穴３２に向けて固着される。そしてこのとき、一対のギア４１は、歯４１ａが噛み合ってギア４１が回動軸３１を回動支点として回動するように取り付けられるとともにギア４１の下面と中間板材３の端面との間には連結板４０が介在するように取り付けられる（図３（ｂ）参照）。
【００１６】
連結板４０は平面視して両端が円弧状に形成された薄板体よりなり、円弧状に形成された連結板円弧部４５（図３（ａ）参照）の曲率中心には２つの挿通孔が形成されている。一方の挿通孔には戸板２の凹所２１に固着するための固定具４４が挿通され、他方の挿通孔にはギア４１を固定する固定具４３が挿通される。
このように連結板４０が設けられることにより、一対の戸板２，２と中間板材３とを連結することができ、また戸板２や中間板材３に開閉動作のための力が加わると、その力をギア４１に伝え、ギア４１はこの力を受けて回動し、戸板２，２を折り畳み自在とすることができる。
なお、ここでは上方開口のケース６に一対のギア４１が収容されている例を示しているが、ケース６の上方開口を蓋体で閉塞する構成としてもよい。
【００１７】
一対のギア４１間に跨るように取り付けられた調整ばね４２は、戸板２や中間板材３にかかる力を受けて回動するギア４１の動きに伴って伸縮する。例えば開口部を閉めた状態の折戸１に開けようとする押圧力が戸板２にかかると、一対の戸板２，２は平面視において略Ｖ字状に回動するが、このとき、調整ばね４２はギア４１の回動に伴って伸びていく。よって、ギア４１が例えば大きな力を受けてもギア４１同士の噛み合わせが外れることなく、スムーズに回動させることができる。一方、開口部を開けた状態の折戸１を閉めようとする押圧力が戸板２，２や中間板材３にかかると、伸びた調整ばね４２は縮んでいき元の状態に戻っていく。よって、大きな力をかけなくても伸びた調整ばね４２の復元弾力が働いてスムーズに折戸１を閉める状態に動かすことができる。
【００１８】
またここでは図示していないが、連結具４の他に、ヒンジピンとヒンジピンを支点として折り畳み自在とされた一対のハネを有した蝶番が、戸板２，２の背面となる側に固着されているものとしてもよく、この場合、蝶番は、戸板２，２の上下方向に沿って隣接する中間板材３とを跨ぐように適所に複数個、設けられる。
【００１９】
次に図４及び図５を参照しながら、折戸１の開閉について説明する。
なお、図４、図５では説明のため、連結具４（連結板４０も含む）の図示を省略したものを示しており、戸板２の対向面２０と中間板材３の円弧部３０との間をなす開き角度を「θ」として示す。
まず図４（ａ）に示すように、折戸１は一対の戸板２，２が横並びに一直線となった状態が、閉止された状態（閉状態）とされる。
そしてこの状態から折戸１を閉状態から開状態へと移行させていく途中の状態が図４（ｂ）である。このとき、一対の戸板２が円弧部３０の曲率中心を軸とした一対の回動軸３１に取り付けられた連結具４によって回動するので、一対の戸板２，２は中間板材３の円弧部３０に沿って動かすことができる。
このように戸板２の対向面２０は、中間板材３の円弧部３０に対する接線に相当する位置あるため、開き角度「θ」は常に一定の角度を保ったまま、戸板２を開状態に移行させていくことができる。よって、従来のように折戸１の開閉に伴って戸板２の対向面２０間に拡がったり狭まったりする空間が形成されることがなく、指詰めを防止することができる。
【００２０】
続いて図４（ｂ）の状態からさらに折戸１を開状態へと移行させた状態を示したのが、図５（ａ）である。このときも、一対の戸板２，２は中間板材３の円弧部３０に沿って動いていくので、折戸１の開閉に伴って戸板２の対向面２０間に拡がったり狭まったりする空間が形成されることがなく、開き角度「θ」も一定の角度を保ったまま戸板２，２を動かすことができる。
そして図５（ｂ）に一対の戸板２，２間に介在する中間板材３が突出するように折り畳んだ状態が、全開された状態（開状態）とされる。
このときも、やはり戸板２の対向面２０と中間板材３の円弧部３０との間をなす開き角度「θ」は、一定となる。
【００２１】
よって、この構成によれば、折戸１の開閉に伴って、一対の戸板２，２の対向面２０間に拡がったり狭まったりする空間が形成されることがないので、その空間に指を挟んでしまうことを防止することができ、安全性の高い折戸１を構成することができる。
また中間板材３は、表裏どちらからみても、同じ構成よりなるので、折戸１の両面の外観を美しく構成でき、さらに折戸１を全開にした状態において戸板２の対向面２０が露出してみえないので（図５（ｂ）参照）、全開状態での見栄えもよい。
【００２２】
以上、本実施形態では、折戸１クローゼット用の開閉扉に適用した例を示したが、これに限られず、例えば、各種部屋の開閉扉、或いは部屋の間仕切り用の開閉壁としても適用可能である。また、連結具４の構造は図例に限定されるものではなく、要は戸板２側に延設され、中間板材３の円弧部３０に沿って戸板２，２を折り畳み自在に連結可能なものであればよい。折戸１を構成する戸板２，２は、一対からなるものを例示しているが、３枚以上の戸板からなるものとしてもよい。この場合は、隣接する戸板２間に中間板材３を設けることになる。
そして戸板２と中間板材３の大きさ関係は図例に限定されず、戸板２の端面を面取りしたものとしてもよい。
【符号の説明】
【００２３】
１      折戸
２      戸板
２０      対向面
２１      凹所
３      中間板材
３０      円弧部
３１      回動軸
４      連結具
【図１】
0005401277.tif 000002
【図２】
0005401277.tif 000003
【図３】
0005401277.tif 000004
【図４】
0005401277.tif 000005
【図５】
0005401277.tif 000006